(57)【要約】【課題】要求される負荷が最大負荷の５０％以下であるときのＣＯＰを向上できる冷凍装置を提供する。【解決手段】制御部３は、共通蒸発器４に要求される負荷が５０％以下であるとき、第２圧縮機２１を停止し、第１圧縮機１１の容量を制御する。このため、第１、第２圧縮機１１，２１を同時に低容量で制御する場合に比べて、要求される負荷が５０％以下であるときのＣＯＰを向上できる。【選択図】図１
2010071639.tif 000002
【特許請求の範囲】
【請求項１】
第１冷媒流路（１０）を介して順に環状に接続された第１圧縮機（１１）、第１熱源側熱交換器（１２，１２Ａ）、第１膨張機構（１３）および共通利用側熱交換器（４，４Ａ）を含む第１ユニット（１，１Ａ）と、
第２冷媒流路（２０）を介して順に環状に接続された第２圧縮機（２１）、第２熱源側熱交換器（２２，２２Ａ）、第２膨張機構（２３）および上記共通利用側熱交換器（４，４Ａ）を含む第２ユニット（２，２Ａ）と、
上記共通利用側熱交換器（４，４Ａ）に対して要求される負荷に応じて、上記第１圧縮機（１１）および上記第２圧縮機（２１）の容量を制御する制御部（３）と
を備え、
上記制御部（３）は、上記要求される負荷が上記第１ユニット（１，１Ａ）のみで対応可能な一定値以下であるとき、上記第２圧縮機（２１）を停止し、上記第１圧縮機（１１）の容量を制御することを特徴とする冷凍装置。
【請求項２】
請求項１に記載の冷凍装置において、
上記第１ユニット（１，１Ａ）は、上記第１冷媒流路（１０）内の冷媒の循環方向を切り換える第１四方弁（１４）を含み、
上記第２ユニット（２，２Ａ）は、上記第２冷媒流路（２０）内の冷媒の循環方向を切り換える第２四方弁（２４）を含むことを特徴とする冷凍装置。
【請求項３】
請求項１または２に記載の冷凍装置において、
上記第１熱源側熱交換器（１２，１２Ａ）は、第１凝縮器（１２）であり、
上記第２熱源側熱交換器（２２，２２Ａ）は、第２凝縮器（２２）であり、
上記共通利用側熱交換器（４，４Ａ）は、上記共通蒸発器（４）であることを特徴とする冷凍装置。
【請求項４】
請求項３に記載の冷凍装置において、
上記共通蒸発器（４）には、上記第１、上記第２冷媒流路（１０，２０）との熱交換を行う被冷却物流路（４０）が設けられ、
上記共通蒸発器（４）から出力される上記被冷却物流路（４０）内の被冷却物の温度を測定する温度センサ（５）を有し、
上記制御部（３）は、上記要求される負荷が上記一定値以下であるとき、上記温度センサ（５）の測定値に基づいて、上記第１圧縮機（１１）の容量を段階的に制御する一方、上記第２圧縮機（２１）を段階的に停止することを特徴とする冷凍装置。
【請求項５】
請求項３または４に記載の冷凍装置において、
上記制御部（３）は、上記要求される負荷が上記一定値より大きいとき、上記第１圧縮機（１１）の容量の最大容量に対する割合と、上記第２圧縮機（２１）の容量の最大容量に対する割合とを、同じにすることを特徴とする冷凍装置。
【発明の詳細な説明】
【技術分野】
【０００１】
この発明は、例えば、空冷ヒートポンプチラー等の冷凍装置に関する。
【背景技術】
【０００２】
従来、冷凍装置としては、第１圧縮機を含む第１の冷凍サイクルユニットと、第２圧縮機を含む第２の冷凍サイクルユニットと、第１、第２の冷凍サイクルユニットに対して要求される負荷に応じて第１圧縮機および第２圧縮機の容量を制御する制御部とを備えたものがある（特公平７−１１１１８１号公報：特許文献１参照）。
【０００３】
制御部は、要求される負荷が最大負荷の５０％以下であるとき、第１圧縮機および第２圧縮機をともに５０％以下の容量に制御していた。
【先行技術文献】
【特許文献】
【０００４】
【特許文献１】特公平７−１１１１８１号公報
【発明の概要】
【発明が解決しようとする課題】
【０００５】
しかしながら、上記従来の冷凍装置では、要求される負荷が最大負荷の５０％以下であるとき、第１圧縮機および第２圧縮機をともに５０％以下の容量で制御していたので、第１、第２圧縮機を同時に低容量で運転することになり、ＣＯＰ（冷凍能力／消費電力）が低下する問題があった。
【０００６】
そこで、この発明の課題は、要求される負荷が最大負荷の５０％以下であるときのＣＯＰを向上できる冷凍装置を提供することにある。
【課題を解決するための手段】
【０００７】
上記課題を解決するため、この発明の冷凍装置は、
第１冷媒流路を介して順に環状に接続された第１圧縮機、第１熱源側熱交換器、第１膨張機構および共通利用側熱交換器を含む第１ユニットと、
第２冷媒流路を介して順に環状に接続された第２圧縮機、第２熱源側熱交換器、第２膨張機構および上記共通利用側熱交換器を含む第２ユニットと、
上記共通利用側熱交換器に対して要求される負荷に応じて、上記第１圧縮機および上記第２圧縮機の容量を制御する制御部と
を備え、
上記制御部は、上記要求される負荷が上記第１ユニットのみで対応可能な一定値以下であるとき、上記第２圧縮機を停止し、上記第１圧縮機の容量を制御することを特徴としている。
【０００８】
この発明の冷凍装置によれば、上記制御部は、上記要求される負荷が上記一定値以下であるとき、上記第２圧縮機を停止し、上記第１圧縮機の容量を制御するので、上記第１、上記第２圧縮機を同時に低容量で制御する場合に比べて、上記要求される負荷が上記一定値以下であるときのＣＯＰ（冷凍能力／消費電力）を向上できる。
【０００９】
また、一実施形態の冷凍装置では、上記第１ユニットは、上記第１冷媒流路内の冷媒の循環方向を切り換える第１四方弁を含み、上記第２ユニットは、上記第２冷媒流路内の冷媒の循環方向を切り換える第２四方弁を含む。
【００１０】
この実施形態の冷凍装置によれば、上記第１ユニットは、第１四方弁を含み、上記第２ユニットは、第２四方弁を含むので、上記共通利用側熱交換器に流れる被冷却物の冷却または加熱を、容易に切り換えることができる。
【００１１】
また、一実施形態の冷凍装置では、上記第１熱源側熱交換器は、第１凝縮器であり、上記第２熱源側熱交換器は、第２凝縮器であり、上記共通利用側熱交換器は、上記共通蒸発器である。
【００１２】
この実施形態の冷凍装置によれば、上記第１熱源側熱交換器は、第１凝縮器であり、上記第２熱源側熱交換器は、第２凝縮器であり、上記共通利用側熱交換器は、上記共通蒸発器であるので、上記共通蒸発器に流れる被冷却物を冷却できる。
【００１３】
また、一実施形態の冷凍装置では、
上記共通蒸発器には、上記第１、上記第２冷媒流路との熱交換を行う被冷却物流路が設けられ、
上記共通蒸発器から出力される上記被冷却物流路内の被冷却物の温度を測定する温度センサを有し、
上記制御部は、上記要求される負荷が上記一定値以下であるとき、上記温度センサの測定値に基づいて、上記第１圧縮機の容量を段階的に制御する一方、上記第２圧縮機を段階的に停止する。
【００１４】
この実施形態の冷凍装置によれば、上記制御部は、上記要求される負荷が上記一定値以下であるとき、上記温度センサの測定値に基づいて、上記第１圧縮機の容量を段階的に制御する一方、上記第２圧縮機を段階的に停止するので、上記第１圧縮機の容量を増加する場合、冷凍能力の過多による被冷却物流路の被冷却物の温度の低下を防止して、被冷却物流路の凍結を防止できる。
【００１５】
また、一実施形態の冷凍装置では、上記制御部は、上記要求される負荷が上記一定値より大きいとき、上記第１圧縮機の容量の最大容量に対する割合と、上記第２圧縮機の容量の最大容量に対する割合とを、同じにする。
【００１６】
この実施形態の冷凍装置によれば、上記制御部は、上記要求される負荷が上記一定値より大きいとき、上記第１圧縮機の容量の最大容量に対する割合と、上記第２圧縮機の容量の最大容量に対する割合とを、同じにするので、上記第１、上記第２圧縮機の容量の制御が容易になる。
【発明の効果】
【００１７】
この発明の冷凍装置によれば、制御部は、要求される負荷が第１ユニットのみで対応可能な一定値以下であるとき、第２圧縮機を停止し、第１圧縮機の容量を制御するので、要求される負荷が上記一定値以下であるときのＣＯＰを向上できる。
【図面の簡単な説明】
【００１８】
【図１】本発明の冷凍装置の第１実施形態を示す簡略構成図である。
【図２】本発明と従来との比較を説明する説明図である。
【図３】第１ユニットおよび第２ユニットの容量の移行を説明するフローチャートである。
【図４Ａ】本発明の冷凍装置の第２実施形態を示すと共に水を冷却する状態を示す簡略構成図である。
【図４Ｂ】本発明の冷凍装置の第２実施形態を示すと共に水を加熱する状態を示す簡略構成図である。
【発明を実施するための形態】
【００１９】
以下、この発明を図示の実施の形態により詳細に説明する。
【００２０】
（第１の実施形態）
図１は、この発明の冷凍装置の第１実施形態である簡略構成図を示している。この冷凍装置は、第１ユニット１と、第２ユニット２と、制御部３とを有する。
【００２１】
第１ユニット１は、第１圧縮機１１と、（第１熱源側熱交換器としての）第１凝縮器１２と、（膨張機構としての）第１膨張弁１３と、（共通利用側熱交換器としての）共通蒸発器４とを含む。第１圧縮機１１、第１凝縮器１２、第１膨張弁１３および共通蒸発器４は、順に、（配管等の）第１冷媒流路１０を介して、環状に接続されている。
【００２２】
第２ユニット２は、第２圧縮機２１と、（第２熱源側熱交換器としての）第２凝縮器２２と、（膨張機構としての）第２膨張弁２３と、（共通利用側熱交換器としての）共通蒸発器４とを含む。第２圧縮機２１、第２凝縮器２２、第２膨張弁２３および共通蒸発器４は、順に、（配管等の）第２冷媒流路２０を介して、環状に接続されている。
【００２３】
第１圧縮機１１は、スライドバルブなどの容量制御器１１ａを有する。第２圧縮機２１は、スライドバルブなどの容量制御器２１ａを有する。
【００２４】
第１凝縮器１２には、ファン１２ａが設けられ、ファン１２ａにより送られた空気と第１冷媒流路１０を流れる冷媒との熱交換を行う。同様に、第２凝縮器２２には、ファン２２ａが設けられ、ファン２２ａにより送られた空気と第２冷媒流路２０を流れる冷媒との熱交換を行う。
【００２５】
共通蒸発器４には、（配管等の）被冷却物流路４０が設けられ、この被冷却物流路４０を流れる（被冷却物としての）水と、第１、第２冷媒流路１０，２０を流れる冷媒との熱交換を行う。被冷却物流路４０における共通蒸発器４からの出口４０ａ側には、温度センサ５が設けられ、温度センサ５は、共通蒸発器４から出力される被冷却物流路４０内の水の温度を測定する。
【００２６】
第１ユニット１の冷媒流れを説明すると、矢印に示すように、第１圧縮機１１で圧縮された冷媒は、順に、第１凝縮器１２、第１膨張弁１３、共通蒸発器４を通って、第１圧縮機１１へ戻ってくる。このとき、第１凝縮器１２では、空気が冷媒により暖められ、共通蒸発器４では、水が冷媒により冷やされる。
【００２７】
同様に、第２ユニット２の冷媒流れを説明すると、矢印に示すように、第２圧縮機２１で圧縮された冷媒は、順に、第２凝縮器２２、第２膨張弁２３、共通蒸発器４を通って、第２圧縮機２１へ戻ってくる。このとき、第２凝縮器２２では、空気が冷媒により暖められ、共通蒸発器４では、水が冷媒により冷やされる。
【００２８】
制御部３は、共通蒸発器４に対して要求される負荷に応じて、第１圧縮機１１および第２圧縮機２１の容量を制御する。制御部３は、第１圧縮機１１の容量制御器１１ａおよび第２圧縮機２１の容量制御器２１ａを制御する。
【００２９】
制御部３は、要求される負荷が第１ユニット１のみで対応可能な一定値以下であるとき、第２圧縮機２１を停止し、第１圧縮機１１の容量を制御する一方、要求される負荷が上記一定値よりも大きいとき、第１圧縮機１１および第２圧縮機２１の容量を制御する。
【００３０】
ここで、第１ユニット１と第２ユニット２の冷凍能力は、同じであり、第１圧縮機１１と第２圧縮機２１の最大容量は、同じであるので、上記一定値は、最大負荷の５０％となる。
【００３１】
次に、図２を用いて、制御部３による容量制御を具体的に説明する。図２中の表の上段は、従来の容量制御を示し、下段は、本発明の容量制御を示す。
【００３２】
図２中の表に示すように、要求負荷が１００％〜６０％であるとき、本発明では、従来と同様に、第１ユニット１（第１圧縮機１１）および第２ユニット２（第２圧縮機２１）の容量を制御する。つまり、要求される負荷が最大負荷の５０％より大きいとき、第１圧縮機１１の容量の最大容量に対する割合と、第２圧縮機２１の容量の最大容量に対する割合とを、同じにしている。
【００３３】
要求負荷が５０％〜１０％であるとき、従来では、第１ユニット１（第１圧縮機１１）および第２ユニット２（第２圧縮機２１）の容量を制御しているのに対して、本発明では、第２ユニット２の容量を０とし（つまり、運転を停止し）、第１ユニット１の容量のみを制御する。
【００３４】
したがって、図２中のグラフに示すように、本発明では、従来と比べて、要求負荷が５０％以下であるとき、ＣＯＰ（冷凍能力／消費電力）を改善できる。つまり、要求負荷が５０％以下であるとき、性能が改善されている。
【００３５】
ここで、要求負荷が５０％を超えた値から５０％以下に移行したとき、第１ユニット１および第２ユニット２の容量の移行を説明すると、制御部３は、要求される負荷が５０％以下であるとき、温度センサ５の測定値に基づいて、第１圧縮機１１の容量を段階的に制御する一方、第２圧縮機２１を段階的に停止する。
【００３６】
具体的に述べると、要求負荷が６０％から５０％へ移行するとき、第１ユニット１の容量が６０％から１００％へ移行し、第２ユニット２の容量が６０％から０％へ移行する。このときの第１ユニット１および第２ユニット２の容量の移行を説明すると、図３に示すように、第１ユニット１の容量を６０％に維持し、第２ユニット２の容量を６０％から４０％へ移行して、ｔ１時間待機する（ステップＳ１）。
【００３７】
そして、第１ユニット１の容量を６０％から７０％へ移行し、第２ユニット２の容量を４０％に維持して、ｔ１時間待機する（ステップＳ２）。
【００３８】
その後、第１ユニット１の容量を７０％に維持し、第２ユニット２の容量を４０％から２０％へ移行して、ｔ１時間待機する（ステップＳ３）。
【００３９】
そして、温度センサ５の測定値と予め定めた設定値との差の絶対値が、０．５℃よりも小さいか否か、水温を判断して（ステップＳ４）、０．５℃よりも小さくない場合は、ｔ２時間待機後（ステップＳ５）、再度水温を判断する（ステップＳ４）。
【００４０】
一方、０．５℃よりも小さい場合は、第１ユニット１の容量を７０％から８０％へ移行し、第２ユニット２の容量を２０％に維持して、ｔ２時間待機する（ステップＳ６）。
【００４１】
その後、温度センサ５の測定値と予め定めた設定値との差の絶対値が、０．５℃よりも小さいか否か、水温を判断して（ステップＳ７）、０．５℃よりも小さくない場合は、ｔ２時間待機後（ステップＳ８）、再度水温を判断する（ステップＳ７）。
【００４２】
一方、０．５℃よりも小さい場合は、第１ユニット１の容量を８０％から１００％へ移行し、第２ユニット２の容量を２０％に維持して、ｔ２時間待機する（ステップＳ９）。
【００４３】
そして、温度センサ５の測定値と予め定めた設定値との差の絶対値が、０．５℃よりも小さいか否か、水温を判断して（ステップＳ１０）、０．５℃よりも小さくない場合は、ｔ２時間待機後（ステップＳ１１）、再度水温を判断する（ステップＳ１０）。
【００４４】
一方、０．５℃よりも小さい場合は、第１ユニット１の容量を１００％に維持し、第２ユニット２の容量を２０％から０％へ移行する（ステップＳ１２）。
【００４５】
このように、温度センサ５の測定値が所定値より小さいときに、第１圧縮機１１または第２圧縮機２１の少なくとも一方の容量を変化させるように、第１圧縮機１１および第２圧縮機２１の容量を段階的に制御することで、温度制御の狂いを防止する。つまり、圧縮機１１，２１の能力変化幅が大きい場合、温度制御が大きく狂う可能性があり、例えば、能力過多になると、被冷却物流路４０の水温が下がって、凍結が生じるおそれがある。
【００４６】
上記構成の冷凍装置によれば、制御部３は、要求される負荷が５０％（一定値）以下であるとき、第２圧縮機２１を停止し、第１圧縮機１１の容量を制御するので、第１、第２圧縮機１１，２１を同時に低容量で制御する場合に比べて、要求される負荷が５０％以下であるときのＣＯＰ（冷凍能力／消費電力）を向上できる。
【００４７】
また、制御部３は、要求される負荷が５０％以下であるとき、温度センサ５の測定値に基づいて、第１圧縮機１１の容量を段階的に制御する一方、第２圧縮機２１を段階的に停止するので、第１圧縮機１１の容量を増加する場合、冷凍能力の過多による被冷却物流路４０の水温の低下を防止して、被冷却物流路４０の凍結を防止できる。
【００４８】
また、制御部３は、要求される負荷が５０％より大きいとき、第１圧縮機１１の容量の最大容量に対する割合と、第２圧縮機２１の容量の最大容量に対する割合とを、同じにするので、第１、第２圧縮機１１，２１の容量の制御が容易になる。
【００４９】
（第２の実施形態）
図４Ａおよび図４Ｂは、この発明の冷凍装置の第２の実施形態を示している。上記第１の実施形態と相違する点を説明すると、この第２の実施形態では、冷凍装置を流れる冷媒の循環方向を切り換えることができるように、構成している。なお、この第２の実施形態において、上記第１の実施形態と同一の部分には、同一の参照番号を付して、詳細な説明を省略する。
【００５０】
図４Ａに示すように、第１ユニット１Ａは、第１冷媒流路１０を介して順に環状に接続された第１圧縮機１１、第１熱源側熱交換器１２Ａ、第１膨張機構１３および共通利用側熱交換器４Ａを含む。
【００５１】
第２ユニット２Ａは、第２冷媒流路２０を介して順に環状に接続された第２圧縮機２１、第２熱源側熱交換器２２Ａ、第２膨張機構２３および共通利用側熱交換器４Ａを含む。
【００５２】
上記第１ユニット１Ａは、上記第１冷媒流路１０内の冷媒の循環方向を切り換える第１四方弁１４を含む。この第１四方弁１４は、第１圧縮機１１と第１熱源側熱交換器１２Ａとの間の冷媒流路と、第１圧縮機１１と共通利用側熱交換器４Ａとの間の冷媒流路とを跨ぐように、設けられている。
【００５３】
上記第２ユニット２Ａは、上記第２冷媒流路２０内の冷媒の循環方向を切り換える第２四方弁２４を含む。この第２四方弁２４は、第２圧縮機２１と第２熱源側熱交換器２２Ａとの間の冷媒流路と、第２圧縮機２１と共通利用側熱交換器４Ａとの間の冷媒流路とを跨ぐように、設けられている。
【００５４】
次に、冷凍装置の冷媒の流れについて説明する。
【００５５】
まず、図４Ａに示すように、上記第１ユニット１Ａの冷媒を、第１四方弁１４の切り換えによって、矢印に示すように、第１圧縮機１１、第１熱源側熱交換器１２Ａ、第１膨張機構１３および共通利用側熱交換器４Ａを順に、流れるようにする。このとき、第１熱源側熱交換器１２Ａは、凝縮器として作用して、空気が冷媒により暖められ、共通利用側熱交換器４Ａは、蒸発器として作用して、水が冷媒により冷やされる。
【００５６】
同様に、上記第２ユニット２Ａの冷媒を、第２四方弁２４の切り換えによって、矢印に示すように、第２圧縮機２１、第２熱源側熱交換器２２Ａ、第２膨張機構２３および共通利用側熱交換器４Ａを順に、流れるようにする。このとき、第２熱源側熱交換器２２Ａは、凝縮器として作用して、空気が冷媒により暖められ、共通利用側熱交換器４Ａは、蒸発器として作用して、水が冷媒により冷やされる。
【００５７】
一方、図４Ｂに示すように、上記第１ユニット１Ａの冷媒を、第１四方弁１４の切り換えによって、矢印に示すように、第１圧縮機１１、共通利用側熱交換器４Ａ、第１膨張機構１３および第１熱源側熱交換器１２Ａを順に、流れるようにする。このとき、第１熱源側熱交換器１２Ａは、蒸発器として作用して、空気が冷媒により冷やされ、共通利用側熱交換器４Ａは、凝縮器として作用して、水が冷媒により暖められる。
【００５８】
同様に、上記第２ユニット２Ａの冷媒を、第２四方弁２４の切り換えによって、矢印に示すように、第２圧縮機２１、共通利用側熱交換器４Ａ、第２膨張機構２３および第２熱源側熱交換器２２Ａを順に、流れるようにする。このとき、第２熱源側熱交換器２２Ａは、蒸発器として作用して、空気が冷媒により冷やされ、共通利用側熱交換器４Ａは、凝縮器として作用して、水が冷媒により暖められる。
【００５９】
制御部３は、上記共通利用側熱交換器４Ａに対して要求される負荷に応じて、上記第１圧縮機１１および上記第２圧縮機２１の容量を制御する。この制御部３は、上記要求される負荷が上記第１ユニット１Ａのみで対応可能な一定値以下（この実施形態では５０％以下）であるとき、上記第２圧縮機２１を停止し、上記第１圧縮機１１の容量を制御する。
【００６０】
上記制御部３は、上記要求される負荷が上記一定値以下であるとき、上記共通利用側熱交換器４Ａの出口側の被冷却物流路４０に設けられた温度センサ５の測定値に基づいて、上記第１圧縮機１１の容量を段階的に制御する一方、上記第２圧縮機２１を段階的に停止する。
【００６１】
上記制御部３は、上記要求される負荷が上記一定値より大きいとき、上記第１圧縮機１１の容量の最大容量に対する割合と、上記第２圧縮機２１の容量の最大容量に対する割合とを、同じにする。
【００６２】
上記制御部３による具体的な容量制御は、上記第１の実施形態（図２と図３）と同様であるので、説明を省略する。
【００６３】
上記構成の冷凍装置によれば、上記制御部３は、要求される負荷が一定値以下であるとき、第２圧縮機２１を停止し、第１圧縮機１１の容量を制御するので、第１、第２圧縮機１１，２１を同時に低容量で制御する場合に比べて、要求される負荷が一定値以下であるときのＣＯＰ（冷凍能力／消費電力）を向上できる。
【００６４】
また、上記第１ユニット１Ａは、第１四方弁１４を含み、上記第２ユニット２Ａは、第２四方弁２４を含むので、上記共通利用側熱交換器４Ａに流れる被冷却物の冷却または加熱を、容易に切り換えることができる。
【００６５】
また、上記制御部３は、要求される負荷が一定値以下であるとき、温度センサ５の測定値に基づいて、第１圧縮機１１の容量を段階的に制御する一方、第２圧縮機２１を段階的に停止するので、第１圧縮機１１の容量を増加する場合、冷凍能力の過多による被冷却物流路４０の水温の低下（または上昇）を防止して、被冷却物流路４０の凍結（または加熱）を防止できる。
【００６６】
また、上記制御部３は、要求される負荷が一定値より大きいとき、第１圧縮機１１の容量の最大容量に対する割合と、第２圧縮機２１の容量の最大容量に対する割合とを、同じにするので、第１、第２圧縮機１１，２１の容量の制御が容易になる。
【００６７】
なお、この発明は上述の実施形態に限定されない。例えば、膨張機構として、膨張弁の代わりに、キャピラリーチューブ等を用いてもよい。被冷却物として、ブラインを用いてもよい。また、第１ユニット１と第２ユニット２の冷凍能力は、同じでなくてもよく、第１圧縮機１１と第２圧縮機２１の最大容量は、同じでなくてもよい。
【００６８】
また、上記第１の実施形態において、第１凝縮器１２および第２凝縮器２２を、蒸発器に置き換え、共通蒸発器４を、共通凝縮器に置き換えて、この共通凝縮器によって、被冷却物を暖めるようにしてもよい。
【符号の説明】
【００６９】
１，１Ａ  第１ユニット
１１  第１圧縮機
１１ａ  容量制御器
１２  第１凝縮器（第１熱源側熱交換器）
１２Ａ  第１熱源側熱交換器
１２ａ  ファン
１３  第１膨張弁（第１膨張機構）
１４  第１四方弁
１０  第１冷媒流路
２，２Ａ  第２ユニット
２１  第２圧縮機
２１ａ  容量制御器
２２  第２凝縮器（第２熱源側熱交換器）
２２Ａ  第２熱源側熱交換器
２２ａ  ファン
２３  第２膨張弁（第２膨張機構）
２４  第２四方弁
２０  第２冷媒流路
３  制御部
４  共通蒸発器（共通利用側熱交換器）
４Ａ  共通利用側熱交換器
４０  被冷却物流路
４０ａ  出口
５  温度センサ
【図１】
2010071639.tif 000003
【図２】
2010071639.tif 000004
【図３】
2010071639.tif 000005
【図４Ａ】
2010071639.tif 000006
【図４Ｂ】
2010071639.tif 000007
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
第１冷媒流路（１０）を介して順に環状に接続された第１圧縮機（１１）、第１熱源側熱交換器（１２，１２Ａ）、第１膨張機構（１３）および共通利用側熱交換器（４，４Ａ）を含む第１ユニット（１，１Ａ）と、
第２冷媒流路（２０）を介して順に環状に接続された第２圧縮機（２１）、第２熱源側熱交換器（２２，２２Ａ）、第２膨張機構（２３）および上記共通利用側熱交換器（４，４Ａ）を含む第２ユニット（２，２Ａ）と、
上記共通利用側熱交換器（４，４Ａ）に対して要求される負荷に応じて、上記第１圧縮機（１１）および上記第２圧縮機（２１）の容量を制御する制御部（３）と
を備え、
上記制御部（３）は、上記要求される負荷が上記第１ユニット（１，１Ａ）および上記第２ユニット（２，２Ａ）の両方で対応可能であると共に上記第１ユニット（１，１Ａ）のみで対応可能な一定値以下であるとき、上記第２圧縮機（２１）を停止し、上記第１圧縮機（１１）の容量を制御することを特徴とする冷凍装置。
【請求項２】
請求項１に記載の冷凍装置において、
上記第１ユニット（１，１Ａ）は、上記第１冷媒流路（１０）内の冷媒の循環方向を切り換える第１四方弁（１４）を含み、
上記第２ユニット（２，２Ａ）は、上記第２冷媒流路（２０）内の冷媒の循環方向を切り換える第２四方弁（２４）を含むことを特徴とする冷凍装置。
【請求項３】
請求項１または２に記載の冷凍装置において、
上記第１熱源側熱交換器（１２，１２Ａ）は、第１凝縮器（１２）であり、
上記第２熱源側熱交換器（２２，２２Ａ）は、第２凝縮器（２２）であり、
上記共通利用側熱交換器（４，４Ａ）は、共通蒸発器（４）であることを特徴とする冷凍装置。
【請求項４】
請求項３に記載の冷凍装置において、
上記共通蒸発器（４）には、上記第１、上記第２冷媒流路（１０，２０）との熱交換を行う被冷却物流路（４０）が設けられ、
上記共通蒸発器（４）から出力される上記被冷却物流路（４０）内の被冷却物の温度を測定する温度センサ（５）を有し、
上記制御部（３）は、上記要求される負荷が上記一定値以下であるとき、上記温度センサ（５）の測定値に基づいて、上記第１圧縮機（１１）の容量を段階的に制御する一方、上記第２圧縮機（２１）を段階的に停止することを特徴とする冷凍装置。
【請求項５】
請求項３または４に記載の冷凍装置において、
上記制御部（３）は、上記要求される負荷が上記一定値より大きいとき、上記第１圧縮機（１１）の容量の最大容量に対する割合と、上記第２圧縮機（２１）の容量の最大容量に対する割合とを、同じにすることを特徴とする冷凍装置。
【請求項６】
請求項４または５に記載の冷凍装置において、
上記制御部（３）は、上記要求される負荷が上記一定値以下であるとき、上記温度センサ（５）の測定値と予め定めた設定値との差の絶対値が一定値よりも小さくなることを確認しながら、上記第１圧縮機（１１）の容量を段階的に制御する一方、上記第２圧縮機（２１）を段階的に停止することを特徴とする冷凍装置。
【手続補正２】
【補正対象書類名】明細書
【補正対象項目名】０００７
【補正方法】変更
【補正の内容】
【０００７】
上記課題を解決するため、この発明の冷凍装置は、
第１冷媒流路を介して順に環状に接続された第１圧縮機、第１熱源側熱交換器、第１膨張機構および共通利用側熱交換器を含む第１ユニットと、
第２冷媒流路を介して順に環状に接続された第２圧縮機、第２熱源側熱交換器、第２膨張機構および上記共通利用側熱交換器を含む第２ユニットと、
上記共通利用側熱交換器に対して要求される負荷に応じて、上記第１圧縮機および上記第２圧縮機の容量を制御する制御部と
を備え、
上記制御部は、上記要求される負荷が上記第１ユニットおよび上記第２ユニットの両方で対応可能であると共に上記第１ユニットのみで対応可能な一定値以下であるとき、上記第２圧縮機を停止し、上記第１圧縮機の容量を制御することを特徴としている。
【手続補正３】
【補正対象書類名】明細書
【補正対象項目名】００１１
【補正方法】変更
【補正の内容】
【００１１】
また、一実施形態の冷凍装置では、上記第１熱源側熱交換器は、第１凝縮器であり、上記第２熱源側熱交換器は、第２凝縮器であり、上記共通利用側熱交換器は、共通蒸発器である。
【手続補正４】
【補正対象書類名】明細書
【補正対象項目名】００１６
【補正方法】変更
【補正の内容】
【００１６】
この実施形態の冷凍装置によれば、上記制御部は、上記要求される負荷が上記一定値より大きいとき、上記第１圧縮機の容量の最大容量に対する割合と、上記第２圧縮機の容量の最大容量に対する割合とを、同じにするので、上記第１、上記第２圧縮機の容量の制御が容易になる。
なお、一実施形態の冷凍装置では、上記制御部は、上記要求される負荷が上記一定値以下であるとき、上記温度センサの測定値と予め定めた設定値との差の絶対値が一定値よりも小さくなることを確認しながら、上記第１圧縮機の容量を段階的に制御する一方、上記第２圧縮機を段階的に停止するようにしてもよい。